(57)【要約】【課題】等速ジョイントに等速ジョイントブーツを嵌めて組み立てる際に要する部品点数及び組立工数を削減する。【解決手段】等速ジョイントブーツ１１の、従来はブーツバンドを取り付けて等速ジョイントの回転軸２１に固定していた筒状のブーツ小径端部１２の内部に、回転軸２１の外周面に沿って環状又はＣ字状に伸び、ブーツ小径端部１２を回転軸２１に締め付けるバネ材であるバネ材１５を内蔵させることで、ブーツ小径端部１２をバネ材１５とともに広げて回転軸２１を通し、バネ材１５の弾力によってブーツ小径端部１２を回転軸２１に固定する。【選択図】図１
2007078032.tif 000002
【特許請求の範囲】
【請求項１】
等速ジョイントの外輪、又はこの外輪に取り付けられたブーツ固定部材から、この等速ジョイントに接続した回転軸にかけて、前記等速ジョイント内部を覆うように設けられたブーツの前記回転軸側にある筒状のブーツ小径端部の内部に、
前記ブーツ小径端部を前記回転軸に締め付けるバネ材を、前記回転軸の外周面に沿って環状又は環状の一部が切断された形状であるＣ字状に内蔵した等速ジョイントブーツ。
【請求項２】
請求項１に記載の等速ジョイントブーツを、上記等速ジョイントに取り付けたブーツ付き等速ジョイントであって、
上記ブーツ小径端部の内径面のうち、上記バネ材を内蔵する部分の内径面側に張り出し部を設け、上記回転軸の外周面のうち上記張り出し部を取り付ける部分に固定溝を設けたブーツ付き等速ジョイント。
【発明の詳細な説明】
【技術分野】
【０００１】
この発明は、等速ジョイントに被覆する等速ジョイントブーツに関する。
【背景技術】
【０００２】
プロペラシャフトなどの高速回転部に設けられる等速ジョイントには、例えば、図５で示すような等速ジョイントブーツ１が被覆されている（特許文献１）。この等速ジョイントブーツ１は、ブーツ小径端部２と、ブーツ小径端部２から広がって延び反転してさらに延びたブーツ大径端部３と、ブーツ小径端部２及びブーツ大径端部３の間にある谷部４とから形成され、これらの間を繋げた部材で等速ジョイントを覆っている。この等速ジョイントブーツ１は、ブーツ小径端部２がブーツバンド５によって回転軸６に設けられたブーツ小径端部固定溝７に固定され、ブーツ大径端部３が外輪側の固定板８に固定される。
【０００３】
また、谷部４の裏側で、回転軸６と固定板８との間には、等速ジョイントの機能を確保するためにグリース９が充填されており、等速ジョイントブーツ１は、ブーツ小径端部２をブーツ小径端部固定溝７に締め付けることで、このグリース９を封入して、流出を防止している。
【０００４】
【特許文献１】特開平７−２２４８５７号公報
【発明の開示】
【発明が解決しようとする課題】
【０００５】
しかしながら、従来の等速ジョイントブーツは、ブーツバンド５によって回転軸６に固定する方式であるために、その分等速ジョイントの組み立てに用いる部品数が多くなっており、また、部品管理工数及び組み立て工数が多くなっていた。
【０００６】
そこでこの発明は、ブーツバンドが不要な等速ジョイントブーツを製造して、等速ジョイントの組み立てに要する部品数と部品管理工数、組み立て工数を削減することを目的とする。
【課題を解決するための手段】
【０００７】
この発明は、等速ジョイントブーツの、等速ジョイントに取り付けた際に回転軸側となる筒状のブーツ小径端部の内部に、前記ブーツ小径端部を前記回転軸に締め付けるバネ材を、前記回転軸の外周面に沿って環状又はＣ字状に設けた等速ジョイントブーツを製造することにより、上記の課題を解決したのである。
【０００８】
すなわち、上記バネ材を広げて上記ブーツ小径端部を緩めて、上記ブーツ小径端部に上記回転軸を通した後、上記バネ材の弾力によって、上記ブーツ小径端部を上記回転軸に締め付けさせることができる。
【発明の効果】
【０００９】
この発明にかかる等速ジョイントブーツは、ブーツ小径端部が内蔵するバネ材によって回転軸に固定することができるので、等速ジョイントに取り付ける際に別途ブーツバンドを嵌めて固定する必要がなく、従来よりも部品点数、部品管理工数、組み立て工数を削減することができる。
【発明を実施するための最良の形態】
【００１０】
以下、この発明について図１乃至４を用いて詳細に説明する。この発明にかかる等速ジョイントブーツ１１を等速ジョイントの回転軸２１に取り付けた例の断面図を図１及び図２に示す。この等速ジョイントブーツ１１は、等速ジョイントの外輪３２、又はその外輪３２に取り付けられたブーツ固定部材３１から、前記等速ジョイントに接続した回転軸２１にかけて、前記等速ジョイント内部を覆うものである。この等速ジョイントブーツの回転軸２１側は、筒状のブーツ小径端部１２となって回転軸２１に取り付けるものであり、ブーツ固定部材３１又は外輪３２側は、ブーツ小径端部１２よりも広がった筒状であるブーツ大径端部１３となって、ブーツ固定部材３１又は外輪３２に取り付けるものである。
【００１１】
ブーツ小径端部１２とブーツ大径端部１３との間は、例えば図１のようにブーツ小径端部１２から筒状に広がって延び、反転して谷部１４を形成してさらに広がって延びた箇所にブーツ大径端部１３があるものでもよいし、図２のようにブーツ小径端部１２’とブーツ大径端部１３’との間が蛇腹状に連なったものでもよい。
【００１２】
このように等速ジョイントブーツ１１に覆われた内側には、等速ジョイントの機能を確保するためのグリース４１が封入されており、ブーツ小径端部１２及びブーツ大径端部１３を回転軸２１と固定板３１又は外輪３２とに固定することで、このグリース４１の流出を防いでいる。このグリース４１としては、二硫化モリブデンなどの一般的に潤滑剤として用いられるオイルやグリースを用いることができる。
【００１３】
この等速ジョイントブーツ１１の材質としては、一般に等速ジョイントブーツに用いられる熱可塑性エラストマーなどのゴム弾性体を用いることができる。
【００１４】
ブーツ小径端部１２は等速ジョイントブーツ１１本体とブーツ小径端部１２との境界部分よりも内径側に張り出していると好ましい。この張り出した部分が回転軸２１に環状に刻まれたブーツ小径端部固定溝２２に嵌ることで、等速ジョイントブーツ１１が回転軸２１から外れにくくなる。
【００１５】
ブーツ小径端部１２の内部には、図１（ｂ）のような断面図となるように、バネ材１５が内蔵されている。このバネ材１５は、具体的には、ブーツ小径端部１２の内部を、取り付ける回転軸２１の外周面に沿って、環状又はＣ字状に伸びた形状をしており、ブーツ小径端部１２を回転軸２１に締め付けるバネ材として働く。また、ブーツ小径端部１２は、このバネ材１５とともに広げて回転軸２１を通すことができる程度の弾力性を有している必要がある。
【００１６】
上記のバネ材１５は、外部から力を加えていない状態では両端１５ａ同士が接した環状であってもよいし、両端１５ａ同士が離れた、環状の一部が切断された形状であるＣ字状であってもよいが、Ｃ字状である方が扱いやすく好ましい。ただし、両端１５ａ同士が離れている場合でも、その間隔は回転軸２１を締め付けて固定できる程度の間隔である必要がある。
【００１７】
また、図２に記載の等速ジョイントブーツ１１’のように、外輪３２又は外輪３２に取り付けられたブーツ固定部材３１に接続するブーツ大径端部１３’にもバネ材１５’を内蔵させて、このバネ材１５’の弾力により外輪３２にブーツ大径端部１３’を固定するものでもよい。
【００１８】
上記のバネ材１５は１本のみである必要はなく、図３のように回転軸方向に２本並んで内蔵していてもよいし、同様に３本以上並んで内蔵していてもよい。内蔵本数が増えることにより、ブーツ小径端部固定溝２２に固定する力が強くなり、外れにくくなる。ただし、本数を増やすと等速ジョイントブーツ１１を製造する際の手間が増えてしまい、バネ材１５による固定効果としてはバネ材１５が２本あれば十分であるため、複数本設ける場合は２本であるのがより好ましい。ただし、製造や取り付けの際には１本であるのが最も好ましい。
【００１９】
また、この発明にかかる等速ジョイントブーツ１１は、図４のようにブーツ小径端部１２の張り出した内径面のうち、バネ材１５を内蔵する部分の内径面側に張り出し部１６を設けていてもよい。このような張り出し部１６を有する等速ジョイントブーツ１１を、図４のように、ブーツ小径端部固定溝２２の溝底周面の、上記の張り出し部１６を取り付ける部分に固定溝２３を設けた回転軸２１に取り付けると、より強固に等速ジョイントブーツ１１を回転軸２１に固定して、確実にグリース４１を密封し、等速ジョイントブーツ１１を固定することができる。この張り出し部１６及び固定溝２３は、少なくとも固定溝２３に張り出し部１６を取り付けることができるものである必要があり、どちらも環状に形成される回転体状であると作成しやすく好ましい。
【００２０】
この発明にかかる等速ジョイントブーツを用いると、従来は別途必要としていたブーツバンドを使用することなく、等速ジョイントを等速ジョイントブーツで覆い、固定することができる。これにより等速ジョイントの組み立てに必要な部品の数を削減することができ、組立工程も削減することができる。
【図面の簡単な説明】
【００２１】
【図１】（ａ）この発明にかかる等速ジョイントブーツの例を示す断面図、（ｂ）（ａ）のＡ−Ａ断面図
【図２】この発明にかかる別の等速ジョイントブーツの例を示す断面図
【図３】ブーツ小径端部固定溝部分の例を示す拡大断面図
【図４】ブーツ小径端部固定溝部分の例を示す拡大断面図
【図５】従来の等速ジョイントブーツの例を示す断面図
【符号の説明】
【００２２】
１  等速ジョイントブーツ
２  ブーツ小径端部
３  ブーツ大径端部
４  谷部
５  ブーツバンド
６  回転軸
７  ブーツ小径端部固定溝
８  固定板
９  グリース
１１，１１’  等速ジョイントブーツ
１２，１２’  ブーツ小径端部
１３，１３’  ブーツ大径端部
１４  谷部
１５，１５’  バネ材
１５ａ  両端部
１６  張り出し部
２１  回転軸
２２  ブーツ小径端部固定溝
２３  固定溝
３１  ブーツ固定部材
３２  外輪
３３  ケージ
３４  鋼球
３５  内輪
４１  グリース
【図１】
2007078032.tif 000003
【図２】
2007078032.tif 000004
【図３】
2007078032.tif 000005
【図４】
2007078032.tif 000006
【図５】
2007078032.tif 000007